(57)【要約】【課題】  牽引式キャンピングハウスの容積拡張作業を容易化し、重心を安定性させることを課題とする。【解決手段】  牽引式キャンピングハウス１は、一側部が開口した主箱体２と、一側部が開口した拡張部箱体３と、から構成され、主箱体３が牽引台車４に固定され、主箱体２の側端部の下部に連結が可能でジャッキ６２により支持されるレール状部材６を備え、主箱体２又は拡張部箱体３にガイド部材７を設け、キャンピングのときには、拡張部箱体３が側方向へスライドし、ガイド部材７、レール状部材６に沿って移動することにより、容積を拡張でき、側板３２は、揺動部材５を備え、開閉でき、搬送時は主箱体２に拡張部箱体３を収容する。【選択図】  図７
2012101767.tif 000002
【特許請求の範囲】
【請求項１】
一側部が開口した主箱体と、
一側部が開口した拡張部箱体と、
前記主箱体の下部から延び出しジャッキで支持するレール状部材と、
を備え、
前記拡張部箱体が側方向へスライドするよう、前記主箱体又は拡張部箱体にガイド部材を設け、
前記主箱体が牽引台車に固定され、前記拡張部箱体が側方向へスライドしながら、前記レール状部材上を移動することにより、容積を拡張することを特徴とする牽引式キャンピングハウス。
【請求項２】
前記主箱体の底板に収納パイプを設け、前記スライド部材がスライド可能に前記収容パイプに収容される構造を備える請求項１の牽引式キャンピングハウス。
【請求項３】
前記ガイド部材は、前記主箱体の底板に設けたレールと、前記拡張部箱体の底板に設けたローラと、を備え、前記ローラが前記レール上を走行する請求項１の牽引式キャンピングハウス。
【請求項４】
前記拡張部箱体の側板が開閉できる構造となっている請求項１の牽引式キャンピングハウス。
【請求項５】
前記牽引台車の前部に小車輪を有する脚部を備える請求項１の牽引式キャンピングハウス。
【請求項６】
前記レール状部材の端部をジャッキで支持する請求項１の牽引式キャンピングハウス。
【発明の詳細な説明】
【技術分野】
【０００１】
本発明は、車両に脱着して牽引移動可能な牽引式キャンピングハウスに関する。
【背景技術】
【０００２】
特許文献１に記載の発明は、第１に、移動，運搬が容易であり、第２に、設置も簡単であり、第３に、保管，移動，運搬に場所を取らないと共に、より広いスペースにて設置，使用でき、第４に、住居，店舗，事務所，作業所，宿舎，休憩所，その他各種の用途に活用可能な、トレーラーハウスを提案する。そして、このトレーラーハウスは、牽引されて移動され、シャーシフレーム１と、シャーシフレーム１下に配設された車輪と、シャーシフレーム１上に乗せられたハウス部３と、を有している。ハウス部３は、シャーシフレーム１上に連結固定された親ユニット４と、親ユニット４に入れ子式に組み付けられた子ユニット５と、を備えている。そして親ユニット４下にレール部２２を、シャーシフレーム１外側方に延長フレーム２３と延長レール２４を、子ユニット５下にローラー２５を、更にシャーシフレーム１等に連結部と昇降脚を、付設している。
【先行技術文献】
【特許文献】
【０００３】
【特許文献１】特願平９−２８４４６３号公報
【発明の概要】
【発明が解決しようとする課題】
【０００４】
しかしながら、従来の特許文献１の発明は、子ユニット５の親ユニット３からの引き出し・収容作業と、後付けでの延長レールの連結固定、子ユニット５の支持作業が困難であった。また、昇降脚２７の高さ調整が面倒で困難であり、移動中は邪魔になるという問題があった。
【０００５】
そこで、牽引式キャンピングハウスの作業を容易化し、安定性を確保することを課題とする。
【課題を解決するための手段】
【０００６】
上記課題に鑑み、請求項１の発明は、一側部が開口した主箱体と、一側部が開口した拡張部箱体と、前記主箱体の下部から延び出しジャッキで支持するレール状部材と、を備え、前記拡張部箱体が側方向へスライドするよう、前記主箱体又は拡張部箱体にガイド部材を設け、前記主箱体が牽引台車に固定され、前記拡張部箱体が側方向へスライドしながら、前記レール状部材上を移動することにより、容積を拡張することを特徴とする牽引式キャンピングハウスである。
【０００７】
ここでいう「レール状部材」は、その上で拡張部箱体が前後に移動できる機能を備えたものであれば良く、細長い剛性部材の他に、複数のローラが整列したもの、あるいは、無端状に配置したローラを備えたコンベアなどでもよい。配置する個数は単数、複数いずれでもよい。また、例えば、ハンドル又はモータ駆動で駆動するコンベアでもよい。コンベアは手動、駆動いずれも含まれる。「レール状部材」は主箱体からスライド可能な構造でもよい。また、主箱体に底板に収容できる構造でもよい。例えば、主箱体の底板に収納パイプを設け、その収納パイプにスライド可能に収容されてもよい。
【発明の効果】
【０００８】
本発明は以上説明したように構成されているので、容積の拡張作業、ハウスの支持作業が容易である。また、床の安定性が優れている。
【図面の簡単な説明】
【０００９】
【図１】本発明の一実施形態の牽引式キャンピングハウス１の平面図である。
【図２】牽引式キャンピングハウス１の背面図である。
【図３】牽引式キャンピングハウス１の右側面図である。
【図４】牽引式キャンピングハウス１の主箱体の平面図である。
【図５】（ａ）は主箱体と拡張部箱体の背面図、（ｂ）は同じく正面図である。
【図６】牽引式キャンピングハウス１の主箱体から拡張部箱体が引き出された状態の左側面図である。
【図７】牽引式キャンピングハウス１の主箱体から拡張部箱体が引き出され、さらに、拡張部箱体の側壁が上方に移動し開放された状態の左側面図である。
【図８】牽引台車の平面図である。
【図９】（ａ）は牽引台車の正面図、（ｂ）は牽引台車の右側面図である。
【図１０】牽引式キャンピングハウス１の平面図である。
【図１１】牽引式キャンピングハウス１の右側面図である。
【図１２】牽引式キャンピングハウス１のレールを取り付けた状態を示す右側面図である。
【図１３】牽引式キャンピングハウス１のレールを取り付けた状態を示す平面図である。
【図１４】牽引式キャンピングハウス１の拡張時の平面図である。
【図１５】牽引式キャンピングハウス１の拡張時の右側面図である。
【発明を実施するための形態】
【００１０】
以下に、本発明の好適な実施形態である牽引式キャンピングハウス１について図面を参照して説明する。
【００１１】
この牽引式キャンピングハウス１は、一側部が開口した主箱体２と、一側部が開口した拡張部箱体３と、から構成され、主箱体２の側端部の下部に連結が可能なレール状部材６を備え、拡張部箱体３が側方向へスライドするよう、主箱体２又は拡張部箱体３にガイド部材を設け、記主箱体３が牽引台車４に固定され、拡張部箱体３が側方向へスライドしながら、レール状部材６上を移動することにより、容積を拡張することを特徴とする。主箱体２に拡張部箱体３が収容された状態で固定するためのロックが牽引式キャンピングハウス１に設けてある（図示略）。
【００１２】
以下に、本発明の好適な実施形態である牽引式キャンピングハウス１について図面を参照して説明する。
【００１３】
図１〜図１５に示す通り、この牽引式キャンピングハウス１は、側部が開口した主箱体２と、一側部が開口した拡張部箱体３と、から構成されている。
【００１４】
主箱体２が牽引台車４に固定されている。
【００１５】
主箱体２の側部の下部にレール状部材６を結合し、拡張部箱体３が短手方向側方へスライドするよう、主箱体２と拡張部箱体３とにスライドのためのガイド部材７を設けている。
【００１６】
そして、牽引式キャンピングハウス１が移動するときには、拡張部箱体３が主箱体２内に収納される。
【００１７】
一方、牽引式キャンピングハウス１が容積を拡張するときには、レール状部材６を取り付け、拡張部箱体３が側方向へスライドするとともに、レール状部材６上を移動することを特徴とする。以下、形状、構造等を詳細に説明する。
【００１８】
図１０〜図１５図（適宜、牽引台車４の図示は略す）等に示す通り、主箱体２は、底板２０、前板２１、側板２２、天板２４、後板２５、開放面２６を備えている。天板２４の上面には補強部材２８が設けてある。
【００１９】
拡張部箱体３は底板３０、後板３１、側板３２、天板３４、前板３５、開放面３６を備えている。天板３４の上面、後板３１の側面には補強部材３８が設けてある。
【００２０】
図７に示す通り、側板３２は底板３０、後板３１、天板３４、前板３５とは分離されていて、揺動部材５により開閉できるようになっている。揺動部材５は、ヒンジ５０と、伸縮部材５１とから構成されている。ヒンジ５０は天板３４の端部と、側板３２の上端部とを連結するものである。ダンパー５１は、後板３１又は前板３５と側板３２とを連結し、軸方向に伸縮するものであり、所定の角度で停止し、側板３２を所定の角度で固定できるようになっている。側板３２の角度は水平が好ましい。こうした構成により、側板３２を開けたときには、屋根の代用とし、廻りは防虫ネット、または、カヤ等で囲み、専有面積を拡張し、陰Ｓの部分が形成される。例えば、防虫ネットを側板３２の三方からぶら下げて専有空間を作る。このように、バーベキュー等を屋外でも可能とする。就寝時は側板３２を閉めて安全を確保する。なお、伸縮部材５１は油圧シリンダ、ガスダンパー等が挙げられる。
【００２１】
なお、キャンプに必要とされる最小限の設備（例えば、水槽、洗い場、簡易ベッド、洗面台等）は予め主箱体２及び／又は拡張部箱体３にセットしてあり、それらの説明は割愛する。
【００２２】
レール状部材６は、図１２等に示す通り、脱着式であり、主箱体２の底板２０に取り付けて連結される。レール状部材６は、レール６０と、レール６０の上部に設けて、レール６０に連結し支持するジャッキ６２を備えている。このジャッキ６２は、高さ方向に伸縮可能である。ジャッキ６２は、ねじジャッキ（普通形ねじジャッキ、ラチェット式ねじジャッキ、軸受付ねじジャッキ、ラック駆動ジャッキ）、液体作動式（油圧ジャッキ、ポンプ一体型、ポンプ分離型）、空気式（エアージャッキ）のいずれでもよい。ここではねじジャッキを使用する。
【００２３】
レール状部材６は、拡張部箱体３の引き出し、収容の際の安定性のため、間隔を設けて複数本、例えばここでは一対が設けてある。また、レール状部材６は、主箱体２の底板２０の収納パイプ２９にスライド可能に収容される構造である。レール状部材６をスライド可能に収納パイプ２９に収容した時にロックし、牽引式キャンピングハウス１に収容された状態で運搬してもよい。レール状部材６は主箱体２に対してスライド可能な構造である。また、主箱体に底板に収容できる構造である。
【００２４】
さらに、レール部材６を主箱体２の底板２０に対して取り付け、取り外し可能な脱着式でもよく、取り外して運搬してもよい。例えば、レール状部材６にフック（図示略）を設け、主箱体２の底板２０の穴又は突出部に係合させてもよい。レール状部材６はこれに限定されず、同様の機能を達成できる構造であればよく、例えば、ハンドル又はモータで駆動するコンベア、ローラ構造物等でもよい。コンベアであればチェーン駆動が好ましい。
【００２５】
ガイド部材７は、図１２、図１５に示す通り、スライドレール７０を誘導する、主箱体２の底板２０の上面に形成されたスライドレール７０と、拡張部箱体３の底板３０の裏面に形成したローラ７３と、を備え、ローラ７３がスライドレール７０上を走行するようになっている。主箱体２の底板２０の上面に形成されたローラ７３と、拡張部箱体３の底板３０の裏面に形成したスライドレール７０と、を備え、ローラ７３上をスライドレール７０が走行するようにしてもよい。スライドする場合に、スライドレール７０の動きを規制するガイド部材を主箱体２の底板２０の上面に設けてもよい。スライドレール７０をなくしローラ７３のみを設けてもよい。
【００２６】
主箱体２又は拡張部箱体３に適宜、窓５８、換気扇、ドア５９を備えることが好ましい。ここでは主箱体２は、窓５８、換気扇（図示略）、ドア５９及び水槽（図示略）等を備え、拡張部箱体３には窓８８を1か所、明かり取り窓８９を前後に各１ヶ所備えている。
【００２７】
牽引台車４は、台部４０、台部４０の下面に取り付けられる車輪部４１、台部４０の前方に取り付けられる牽引部４２、牽引部４２の下方に取り付ける小車輪４３、及び台部４０の上面に設ける補強部材４４を備えている。
【００２８】
なお、図示は略すが、主箱体２の開口側端面と拡張部箱体３の開口側端面とは、夫々の当接部にパッキング材が付設されており、主箱体２及び拡張部箱体３は、それぞれがパッキング材に圧接している。このため、移動中で拡張部箱体３を主箱体２内に収納しているときも、あるいは、拡張部箱体３を主箱体２内から引き出しているときも、風雨に対して水密構造となっている。
【００２９】
実施形態の動作、作用効果を説明する。牽引式キャンピングハウス１が移動するときには、拡張部箱体３を主箱体２の短手方向に移動させて、主箱体２に拡張部箱体３が収容され、トレーラーに連結して牽引される。このとき、レール状部材６はそのまま主箱体２の底部の収納パイプ２９へ収納され、適宜ロックされて、搬送されるので、装着作業、移動作業は円滑に簡単に行うことができる。
【００３０】
一方、キャンプするときには、トレーラーを停止し、トレーラーから牽引式キャンピングハウス１を分離し、レール状部材６を側方向に引き出し、ジャッキ６２で支持する。レール状部材６はジャッキ６２で支持され、常に水平を維持すべく高さを調整しながら地面に設置されているので、牽引式キャンピングハウス１の重心位置も問題ない。
【００３１】
つぎに拡張部箱体３を主箱体２から側方向に引き出すと、レール状部材６のローラ７３がスライドレール７０、レール６０上を移動し、拡張部箱体３が側方向へとスライドし、外部に引き出され、レール状部材６の上に支持される。このように、拡張部箱体３がレール状部材６上を移動し支持されるので、牽引式キャンピングハウス１の容積拡張を重心バランスが保たれながら円滑かつ容易にできる。
【００３２】
なお、本発明の実施の形態は、上記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。たとえば、ローラ７３を底板３０に設けたが、スライドレール７０、レール６０に設けてもよい。たとえば、主箱体２または拡張部箱体３に簡易トイレを設けることができる。これにより、外部に設ける必要がなくなり、室内に居たままで用を足すことができ、大変便利である。また、糞尿を内部に貯留するため、環境面でも大変良好である。なお、簡易トイレを主箱体２又は拡張部箱体３に設けることができるので、糞尿の取り出しに便利である。
【符号の説明】
【００３３】
１・・・牽引式キャンピングハウス
２・・・主箱体
２０・・・底板
２１・・・前板
２２・・・側板
２４・・・天板
２５・・・後板
２６・・・開放面
２８・・・補強部材
２９・・・収納パイプ
３・・・拡張部箱体
３１・・・後板
３２・・・側板
３４・・・天板
３５・・・前板
３６・・・開放面
３８・・・補強部材
４・・・牽引台車
５・・・揺動部材
６・・・レール状部材
７・・・ガイド部材３０・・・底板５８・・・窓
５９・・・ドア
６０・・・レール
６２・・・脚部
７０・・・スライドレール
７３・・・ローラ
８８・・・窓
【図１】
2012101767.tif 000003
【図２】
2012101767.tif 000004
【図３】
2012101767.tif 000005
【図４】
2012101767.tif 000006
【図５】
2012101767.tif 000007
【図６】
2012101767.tif 000008
【図７】
2012101767.tif 000009
【図８】
2012101767.tif 000010
【図９】
2012101767.tif 000011
【図１０】
2012101767.tif 000012
【図１１】
2012101767.tif 000013
【図１２】
2012101767.tif 000014
【図１３】
2012101767.tif 000015
【図１４】
2012101767.tif 000016
【図１５】
2012101767.tif 000017